(57)【要約】【課題】  装飾性に優れたフロアタイプの鉢植え観賞植物や主として卓上に置かれるアレンジメントタイプの観賞植物に、外部から一見しただけでは判別できない、乃至、判別しにくいように消臭殺菌機構を組込んだ装飾タイプの消臭殺菌装置を提供すること。【解決手段】  植物装飾体１を立設架装した中空の植木鉢２の内部に、コンプレッサ４を主体とする消臭殺菌液の噴霧機構を収設し、該噴霧機構に末端が接続されたフレキシブルチューブであって先端に噴霧ノズル８を備えたエアチューブ６を前記植物装飾体１に沿って配設すると共に、前記植木鉢２に配設された薬液タンク５に末端が接続されたフレキシブルチューブであって先端を前記ノズル８に接続した薬液チューブ７を前記エアチューブ６に沿って配設したこと。【選択図】図３
0003146021.tif 000002
【実用新案登録請求の範囲】
【請求項１】
植物装飾体を立設架装した中空の植木鉢の内部に、コンプレッサを主体とする消臭殺菌液の噴霧機構を収設し、該噴霧機構に末端が接続されたフレキシブルチューブであって先端に噴霧ノズルを備えたエアチューブを前記植物装飾体に沿って配設すると共に、前記植木鉢に配設された薬液タンクに末端が接続されたフレキシブルチューブであって先端を前記ノズルに接続した薬液チューブを前記エアチューブに沿って配設したことを特徴とする装飾タイプの消臭殺菌装置。
【請求項２】
植物装飾体は、植木鉢に立設した網状乃至ネット状の筒体或は篭体の網目や編目に装着した請求項１の装飾タイプの消臭殺菌装置。
【請求項３】
エアチューブと薬液チューブは、請求項２の筒体又は篭体に沿わせるか、若しくは、前記筒体又は篭体の内部を通した請求項２の装飾タイプの消臭殺菌装置。
【請求項４】
エアチューブと薬液チューブは、植物装飾体とは別に植木鉢に立設した１本又は複数本の支柱に沿わせるか、又は、パイプ体で形成した支柱の内部を通して配設した請求項１の装飾タイプの消臭殺菌装置。
【請求項５】
消臭殺菌液の噴霧機構に超音波噴霧機構を併設した請求項１〜４のいずれかの装飾タイプの消臭殺菌装置。
【請求項６】
アレンジメントタイプの観賞植物の花器の内部に、コンプレッサを主体とする消臭殺菌液の噴霧機構を収設し、該噴霧機構に末端が接続されたフレキシブルチューブであって先端に噴霧ノズルを備えたエアチューブを、前記花器に装架された植物装飾体の中に配設すると共に、前記花器に配設された薬液タンクに末端が接続されたフレキシブルチューブであって先端を前記ノズルに接続した薬液チューブを前記植物装飾体の中に配設したことを特徴とする装飾タイプの消臭殺菌装置。
【請求項７】
花器は自己保形性のあるネット状体で形成し、そのネットの網目に植物装飾体を絡めて配設した請求項６の装飾タイプの消臭殺菌装置。
【請求項８】
消臭殺菌液の噴霧機構に超音波噴霧機構を併設した請求項６又は７の装飾タイプの消臭殺菌装置。
【請求項９】
植物装飾体は、天然植物または人工植物である請求項１〜８のいずれかの装飾タイプの消臭殺菌装置。
【考案の詳細な説明】
【技術分野】
【０００１】
本考案は、家庭，レストラン，ホテルなどにおいて使用されることが多い生花やドライフラワーなどの植物装飾体を飾り付けた植木鉢やアレンジメントタイプなどの花器に組込んだ消臭殺菌装置に関する。本考案において植物装飾体には、活生状態または乾燥させた天然植物、又は、紙やプラスチックなどで形成した人工（又は人造）植物のいずれをも含むものとする。人工植物には、天然材の幹や枝を骨組として利用し、それに造花や葉などを取付け架装したものを含むものとする。
【背景技術】
【０００２】
従来より、次亜塩素酸ナトリウム溶液のような消臭殺菌機能を有する薬液を噴霧するようにした消臭殺菌装置は既に公知であり、従来から様々なタイプの装置が提案され、実用にも供されているものもあるが、概して装飾性の乏しい外観，体裁であるため、屋内空間に設置して使用するには、設置場所が限られたり、空内の雰囲気にマッチせず異和感を感じるなどの難点があった。
【０００３】
すなわち、従来の消臭殺菌装置は、エアコンの室内機のような外観のものや使用材料に由来する無機的な印象のものが多いため、エアコンのような設置形態が採られたり、また、スタンドタイプや卓上タイプの装置では、外筐がプラスチック製やメタル製であるため、室屋の隅部にしか設置できなかった。さらに、卓上タイプの装置をテーブルや卓の上に置いた場合でも、装置外筐の材質感によっていま一つ見映えのしない設置態様であった（例えば、特許文献１〜４参照）。この点に鑑み、特許文献５に鉢植えスタイルの人工樹木の鉢に噴霧手段を組込んだものが提案されているが、植木鉢を外筐として、当該外筐の内部にすべての構成を組込む構造であるため、構造が大がかりとなって実用性に欠ける憾がある。
【特許文献１】特許第３６９９７７０号公報
【特許文献２】特許第３７５４４０７号公報
【特許文献３】特許第３７２２８６１号公報
【特許文献４】実用新案登録第２６００３４９号公報
【特許文献５】特開平７−１７２４６号公報
【考案の開示】
【考案が解決しようとする課題】
【０００４】
そこで本考案は、装飾性に優れたフロアタイプの鉢植え観賞植物や主として卓上に置かれるアレンジメントタイプの観賞植物に、外部から一見しただけでは判別できない、乃至、判別しにくいように消臭殺菌機構を組込んだ装飾タイプの消臭殺菌装置を提供することを、その課題とする。
【課題を解決するための手段】
【０００５】
上記課題を解決することを目的としてなされた本考案装置の構成は、植物装飾体を立設架装した中空の植木鉢の内部に、コンプレッサを主体とする消臭殺菌液の噴霧機構を収設し、該噴霧機構に末端が接続されたフレキシブルチューブであって先端に噴霧ノズルを備えたエアチューブを前記植物装飾体に沿って配設すると共に、前記植木鉢に配設された薬液タンクに末端が接続されたフレキシブルチューブであって先端を前記ノズルに接続した薬液チューブを前記エアチューブに沿って配設したことを特徴とするものである。
【０００６】
上記構成の本考案消臭殺菌装置において、植物装飾体は、植木鉢に立設した網状乃至ネット状の筒体或は篭体の網目や編目に装着したものがあり、また、エアチューブと薬液チューブは、前記筒体又は篭体に沿わせるか、若しくは、前記筒体又は篭体の内部を通したタイプにすることができる。さらに、エアチューブと薬液チューブは、植物装飾体とは別に植木鉢に立設した１本又は複数本の支柱に沿わせるか、又は、パイプ状支柱の内部を通して配設することができる。上記の本考案消臭殺菌装置では、空内用観賞植物を構成する部材に、噴霧機構を始めとする消臭殺菌装置の構成パーツを組込んで形成している。
【０００７】
本考案では、上記のようなフロア設置タイプの観賞植物に消臭殺菌用の薬液噴霧機構を組込んだ形態のみならず、カウンターや卓，テーブルなどの上に配備されるアレンジメントタイプの観賞植物に、前記噴霧機構を組込んだタイプの消臭殺菌装置を提供することができる。
【０００８】
すなわち、テーブル設置タイプの観賞植物に薬液の噴霧機構を組込んだ本考案消臭殺菌装置の構成は、アレンジメントタイプの観賞植物の花器の内部に、コンプレッサを主体とする消臭殺菌液の噴霧機構を収設し、該噴霧機構に末端が接続されたフレキシブルチューブであって先端に噴霧ノズルを備えたエアチューブを、前記花器に装架された植物装飾体の中に配設すると共に、前記花器に配設された薬液タンクに末端が接続されたフレキシブルチューブであって先端を前記ノズルに接続した薬液チューブを前記植物装飾体の中に配設したことを特徴とするものである。
【０００９】
上記構成において、花器は自己保形性のあるネット状体や網状体で形成し、そのネットの網目に植物装飾体を絡めて配設した形態のものでもよい。また、本考案消臭殺菌装置に用いる植物装飾体は、生または乾燥させた天然植物、又は、紙やプラスチックなどで形成した人工（又は人造）植物のいずれであってもよい。さらに、人工植物には、天然材の幹や枝を骨組として利用し、それに造花などを取付け架装したものを含むものとする。
【００１０】
本考案装置では、消臭殺菌液の噴霧機構をコンプレッサ主体の噴霧機構を単独で設けたタイプのほか、超音波により噴霧を行う超音波噴霧機構を併用することができる。２タイプの噴霧機構を１つの装置に組込むと、植物装飾体のすぐ近傍から２〜３ｍ乃至それ以上離れた場所までの広範囲における消臭殺菌効果を発揮させることができる。
【考案の効果】
【００１１】
本考案では、植物装飾体を立設架装した中空の植木鉢の内部に、コンプレッサを主体とする消臭殺菌液の噴霧機構を収設し、該噴霧機構に末端が接続されたフレキシブルチューブであって先端に噴霧ノズルを備えたエアチューブを前記植物装飾体に沿って配設すると共に、前記植木鉢に配設された薬液タンクに末端が接続されたフレキシブルチューブであって先端を前記ノズルに接続した薬液チューブを前記エアチューブに沿って配設して装飾タイプの消臭殺菌装置を形成したので、従来の消臭殺菌装置では、概して装飾性の乏しい外観，体裁であるため、屋内空間に設置して使用するには、設置場所が限られたり、空内の雰囲気にマッチせず異和感を感じるなどの難点があったが、見映えの点で優れていることは勿論、既存の単なる観賞用鉢植え植物を、消臭，殺菌機能を有する観賞用植物として室内に設置することができる。
【考案を実施するための最良の形態】
【００１２】
次に、図を参照して本考案装置の実施の形態例について説明する。
図１は本考案消臭殺菌装置の第一例の要部の正面図、図２は本考案消臭殺菌装置の第二例の要部の正面図、図３は第三例の要部の正面図、図４は第四例の要部の正面図、図５は噴霧機構の概要を説明するための正面図である。
【００１３】
図１において、１は、中空の植木鉢２に立設架装した植物装飾体である。３は前記植木鉢２の上部に着脱自在に被せた蓋体で、植物装飾体１の幹1aの根元部が固定立設されている。1bは幹1aから出た枝であり、この枝1bに花や葉などの装飾体が装着されて、植物装飾体１に形成されている。1cは前記幹1aの蓋体３に対する固定部である。
【００１４】
着脱可能な蓋３を備えた植木鉢２の中空部には、薬液の噴霧機構であるエアコンプレッサ４と薬液タンク５が配置されている。コンプレッサ４にはエアチューブ６の末端が接続され、タンク５には薬液チューブ７の末端が挿入されている。前記両チューブ６，７は、フレキシブルであって先端側が幹1aに沿いその幹1aの上端部に向って配設され当該幹1aに支持されている。
【００１５】
幹1aの先端部には、前記両チューブ６，７の先端が接続された噴霧ノズル８が取付けられ、エアコンプレッサ４からエアチューブ６を通して供給される圧搾エアが、当該ノズル８においてタンク５の薬液5aを薬液チューブ７を通して吸引すると共に、吸引した薬液5aを霧化しノズル８から噴霧する。5bは噴霧されている薬液である。本考案における薬液5aは、少なくとも殺菌効果、又は、消臭効果のいずれかを奏する薬液5aであれば足り、必ずしも消臭殺菌の両機能を併有するものに限られる訳ではない。
【００１６】
上記のように本考案装置では、中空の植木鉢２の内部に配設したエアコンプレッサ４と薬液タンク５に、フレキシブルなエアチューブ６と薬液チューブ７を接続し、一見しては目に付かないように植物装飾体１の内部を通した当該両チューブ６，７を植物装飾体１の上部に配備した噴霧ノズル８に接続することにより、室内用の鉢植え植物にしか見えない植物装飾体１から消臭殺菌薬液を室内に噴霧できるようにしたので、従来、設置場所に腐心した消臭殺菌装置を室内のあらゆるところに設置することが可能になる。
【００１７】
ここで、図５により本考案装置の噴霧機構の構成例について説明する。
図５において、詳細は省略するが、エアコンプレッサ４は、一例として２気筒のピストンタイプのコンプレッサ本体41を、防振遮音性の金属板などにより形成した遮音ボックス42の内部に、制振バネ43により吊下支持して形成されている。図１の例では前記ボックス42が台座4aの上に載置されている。一方、薬液タンク５はPETボトル状の容器により形成されて植木鉢２の内部に出入れ自在に配置されている。
【００１８】
コンプレッサ本体41の圧搾エアの吐出口41aには、エアチューブ６の末端が接続されており、薬液タンク５に収容された薬液5aの中には薬液チューブ７の末端側が挿入されている。両チューブ６，７の先端は噴霧ノズル８の取入口8a，8bに接続されて、圧搾エアで吸引される薬液を、噴霧ノズル８で霧化しつつ、当該ノズル８の噴霧口8cから外部へ噴出する。なお、コンプレッサ４の運転は、間欠運転，連続運転のいずれをも選択できる制御部（図示せず）により制御できるように形成されている。以上が本考案装置に用いられる薬液の噴霧機構の一例である。
【００１９】
図１の本考案装置の例では、エアコンプレッサ４は植木鉢２の中空部に縦向き姿勢で配置したが、コンプレッサ４の配置姿勢は、前記鉢２の中空部の形状にもよるが、縦向き，横向きのいずれであってもよい。因みに、後述する図２の例では、エアコンプレッサ４は横向きに配置している。
また、図１の例では薬液タンク５も植木鉢２の内部に収まっているが、当該タンク５の大きさ（高さ）や植木鉢２の中空部の深さによっては、植木鉢２からはみ出す場合もある。なお、薬液タンク５を植木鉢２の外に置くこともある。
さらに、本考案装置では、前記コンプレッサ４主体の噴霧機構に併設して、図示しないが超音波タイプの噴霧機構を植物装飾体１の中に設けることがある。超音波噴霧機構は、植物装飾体１の近傍に薬液5aを噴霧できるので、ノズル８からの噴霧と協働して広範な範囲での消臭殺菌効果が得られる。
【００２０】
図１により説明した本考案装置は、植木鉢２に装設されたフロアタイプの観賞植物に噴霧機構を組込んだものであるが、本考案装置は、図２に例示するようにアレンジメントタイプの観賞植物についても組込むことができるので、この点について以下に説明する。なお、図２において、図１と同一部材，同一部位は同一符号で示す。
【００２１】
アレンジメントタイプの観賞植物は、通常、藤や竹などで編んだ篭状の花器21、或は、プラスチック等で篭状に成形した花器21に盛付けられる。
図２の本考案装置では花器21の内部にエアコンプレッサ４と薬液タンク５を配置するため、植物装飾体11を、当該花器上部開口面に配したネット状乃至網状の蓋体31に、植物装飾体11の茎などの支骨11aを絡着させて架装している。
また、エアチューブ６と薬液チューブ７は、それぞれの末端が、エアコンプレッサ４と薬液タンク５に接続される一方、両チューブ６，７の先端が噴霧ノズル８に接続される点は、図１の第一例と同じであるが、図２の第二例では、噴霧ノズル８の噴霧口8cが２口設けられたものである点で異なる。なお、前記ノズル８の口数は、１個又は３個以上であってもよい。
しかし、薬液の噴霧機構が組込まれていることが、一見しただけでは判らない点は、図１の第一例と同様である。また、図２の本考案装置においても、図示しないが、超音波式の噴霧機構を併設することができる。ノズル８による噴霧は、薬液5aを遠くまで飛散できるが、花器21のすぐ近傍には噴霧し難いので、この点を超音波噴霧機構が補うのである。
【００２２】
図１に例示した本考案装置の第一例では、エアチューブ６と薬液チューブ７を、植物装飾体１の幹1aに沿わせて配置したが、フロアタイプの本考案装置は、図３，図４に示すような両チューブ６，７の配設態様を採ることができる。なお、図３，図４においても図１と同一部材，同一部位は図１と同一符号を用いる。
【００２３】
図３においては、植木鉢２の蓋体３の上に、網状乃至ネット状、或は、篭状の筒状支持体12aを配設し、この支持体12aに、植物装飾体12の枝や茎を係絡させて架装する一方、当該筒状支持体12aの内部に２本のチューブ６，７を挿通支持させるのである。この筒状支持体12aを用いると、植物装飾体12の架装態様の自由度が高まるので、様々な外観態様を呈するように植物装飾体12を架装することができ、しかも、その架装を容易かつ迅速に行い得る利点がある。このため、植物装飾体12の模様替えを容易になし得る長所をもつ。
【００２４】
一方、図４は２本のチューブ６，７を挿通させる支柱パイプ13aを、例えば３本をまとめて幹1aを囲むように細い錐状に立設し、３本のパイプ13aのいずれかに２本のチューブ６，７を通して支持させた例である。支柱パイプ13aを用いると、植物装飾体１とは関連なく両チューブ６，７や噴霧ノズル８を配設できるので、どのような鉢植えの植物装飾体１にでも消臭殺菌液の噴霧機構を組込むことが可能になり、また、植物装飾体１に噴霧機構の架装が係わらないので、模様替えを容易になし得る利点がある。
さらに、図３の筒状支持体12aや、図４の支柱パイプ13aを用いた構造では、これら支持体12aやパイプ13aに、超音波式の噴霧機構を取付けることができるので、超音波噴霧機構を併用した装飾タイプの消臭殺菌装置を形成する上でも、便利である。
【産業上の利用可能性】
【００２５】
本考案は以上の通りであって、一例として、植物装飾体を立設架装した中空の植木鉢の内部に、コンプレッサを主体とする消臭殺菌液の噴霧機構を収設し、該噴霧機構に末端が接続されたフレキシブルチューブであって先端に噴霧ノズルを備えたエアチューブを前記植物装飾体に沿って配設すると共に、前記植木鉢に配設された薬液タンクに末端が接続されたフレキシブルチューブであって先端を前記ノズルに接続した薬液チューブを前記エアチューブに沿って配設することにより、装飾タイプの消臭殺菌装置を構成したから、従来の消臭殺菌装置では、概して装飾性の乏しい外観，体裁であるため、屋内空間に設置して使用するには、設置場所が限られたり、空内の雰囲気にマッチせず異和感を覚えるなどの難点があったが、見映えの点で優れていることは勿論、既存の単なる観賞用鉢植え植物を、消臭，殺菌機能を有する観賞用植物として室内に設置することが可能になる。
【００２６】
また、鉢や花器の内部には、ワン・パッケージ化されたエアコンプレッサと薬液タンク又は前記コンプレッサだけが収設される形式にしたので、構造が簡単になり、従って、既製の植物装飾体を具備した植木鉢やアレンジメント花器に、殆んど改造を加えることなく、本考案を適用することができるという、固有格別の効果が得られる。
【図面の簡単な説明】
【００２７】
【図１】本考案消臭殺菌装置の第一例の要部の正面図。
【図２】本考案消臭殺菌装置の第二例の要部の正面図。
【図３】第三例の要部の正面図。
【図４】第四例の要部の正面図。
【図５】噴霧機構の概要を説明するための正面図。
【符号の説明】
【００２８】
１    植物装飾体
２    植木鉢
３    蓋体
４    エアコンプレッサ
５    薬液タンク
６    エアチューブ
７    薬液チューブ
８    噴霧ノズル
【図１】
0003146021.tif 000003
【図２】
0003146021.tif 000004
【図３】
0003146021.tif 000005
【図４】
0003146021.tif 000006
【図５】
0003146021.tif 000007